(57)【要約】      （修正有）【課題】屋内での溶接作業に適した溶接棒の防湿機能と冷気の供給機能を兼ね備えたスポットクーラー兼用溶接棒乾燥器を提供する。【解決手段】スポットクーラー部９と溶接棒乾燥部１０と、ペルチェ素子２の冷却面をスポットクーラー部９側内部に向けて接続する伝熱材と、ペルチェ素子２の放熱面を溶接棒乾燥部１０側内部に向けて接続する伝熱材と、各部の上部に跨り、双方を接続するための接続治具１７と固定用のボルト１８とを備え、上記スポットクーラー部９は、外気導入口５および送風ファン４と、外気を冷却する冷却フィン６と、冷風を送出する送風口７とを設けて形成し、上記溶接棒乾燥部１０は、乾燥器内の温度調節を行うための温度調整器１１と、溶接棒を入れるケース１２及び蓋１５とを設けて形成する。【選択図】図１
2015010788.tif 000002
【特許請求の範囲】
【請求項１】
この発明に係るペルチェ素子を利用したスポットクーラー兼用溶接棒乾燥器は、スポットクーラー部９と溶接棒乾燥部１０と、ペルチェ素子２の冷却面をスポットクーラー部９側内部に向けて接続する伝熱材３ａと、ペルチェ素子２の放熱面を溶接棒乾燥部１０側内部に向けて接続する伝熱材３ｂと、各部の上部に跨り、双方を接続するための接続治具１７と固定用のボルト１８とを備え、上記スポットクーラー部９は、周囲を囲む断熱材１６ａと、外気導入口５および送風ファン４と、外気を冷却する冷却フィン６と、冷風を送出する送風口７及び伸縮自在なホース８とを設けて形成し、上記溶接棒乾燥部１０は、周囲を囲む断熱材１６ｂと、乾燥器内の温度調節を行うための温度調整器１１と、溶接棒を入れるケース１２及び蓋１５とを設けて形成することを特徴とするペルチェ素子を利用したスポットクーラー兼用溶接棒乾燥器。
【請求項２】
上記請求項１記載の接続治具１７は、当該内にペルチェ素子２の放熱面に送風する小型の送風ファン４ｂと、送風する外気を取り込む外気導入口５ｂとを備えた構造とし、溶接棒乾燥部１０内の温度調整器１１に当該送風ファン４ｂの送風力を調節する機構を設けたことを特徴とする請求項１記載のペルチェ素子を利用したスポットクーラー兼用溶接棒乾燥器。
【請求項３】
上記ペルチェ素子を利用したスポットクーラー兼用溶接棒乾燥器は、可搬式スポットクーラー９ａと可搬式溶接棒乾燥器１０ａが接続治具１７と固定用のボルト１８で接続されることによって形成され、可搬式スポットクーラー９ａの複数の伝熱材３ａと可搬式溶接棒乾燥器１０ａの複数の伝熱材３ｂの半数に取付けられたペルチェ素子２ｂの冷却面と、可搬式スポットクーラー９ａの伝熱材３ａの半数に取付けられたペルチェ素子２ａの放熱面と可搬式溶接棒乾燥器１０ａの複数の伝熱材３ｂとがそれぞれ密着して接続されており、可搬式スポットクーラー９ａと可搬式溶接棒乾燥器１０ａにペルチェ素子２ａ、２ｂを半数ずつ備えた状態で分離可能な構造を備えていることを特徴とする請求項１記載のペルチェ素子を利用したスポットクーラー兼用溶接棒乾燥器。
【発明の詳細な説明】
【技術分野】
【０００１】
この発明は、溶接棒の防湿と冷気送風を目的としたペルチェ素子利用のスポットクーラー兼用溶接棒乾燥器に関するものである。
【背景技術】
【０００２】
溶接構造物の建設現場等では、高温での作業環境を改善するためにスポットクーラーが使用され、また溶接棒の乾燥、保温を目的とした可搬式溶接棒乾燥器が使用されている。
従来のスポットクーラーは、冷風ダクトから冷気が送出されるが、同時に排熱ダクトからは熱風が排出されている。また従来の可搬式溶接棒乾燥器は、ケース内に内蔵されたヒーターと温度調節器等により、所要温度にケース内部の温度を維持して溶接棒の乾燥、保温を行っている。
また、スポットクーラーや貯蔵庫および乾燥装置に、冷却や除湿を目的としたペルチェ素子を利用する従来技術があり、各分野の先行文献に開示されている。
【０００３】
特許文献１の特開２００５−３０７２６号公報「スポットクーラー」の発明は、外気を冷却する冷却源としてペルチェ素子を使用したスポットクーラーにおいて、ペルチェ素子の発熱面で発生する熱を蓄熱材に吸収してペルチェ素子の冷却作用を一定時間にわたって発揮可能とする構成が開示されている。
【０００４】
特許文献２の特開２０００−２７４９１３号公報「貯蔵庫」の発明は、貯蔵庫の断熱箱体内に画成された貯蔵室を設け、ペルチェ素子の一方の放熱面により貯蔵室を加熱し、もう一方の冷却面により貯蔵室を冷却する構成が開示されている。
【０００５】
特許文献３の特開平７−２５３２７３号公報「乾燥装置」の発明は、保管庫内にヒータ及び送風ファンからなる温風手段と、ペルチェ素子による電子冷却ユニットを設け、濡れた物品から蒸発した水蒸気をペルチェ素子による電子冷却ユニットの吸熱フィン上で結露水として凝縮させて除湿する構成が開示されている。
【先行技術文献】
【特許文献】
【０００６】
【特許文献１】特開２００５−３０７２６号公報
【特許文献２】特開２０００−２７４９１３号公報
【特許文献３】特開平７−２５３２７３号公報
【発明の概要】
【発明が解決しようとする課題】
【０００７】
従来のスポットクーラーは、冷風ダクトから冷気が送出されるが、同時に排熱ダクトから熱風が排出され、その熱風が有効利用されないため、熱の無駄が生じ非効率である。
また、従来の可搬式溶接棒乾燥器は、ケース内に内蔵されたヒーターに通電して発熱させ、ケース内を所定温度にして溶接棒の乾燥、保温を行う単一機能しか持ち合わせていない。
更に、スポットクーラーや乾燥装置でペルチェ素子を利用する従来技術もあるが、いずれもペルチェ素子の冷却面のみを利用するものであり、放熱面から生じる熱が利用されず、エネルギーが無駄となっている。また、ペルチェ素子の冷却面と放熱面の両方を利用する貯蔵庫の従来技術が開示されているが、スポットクーラーのように冷気を送出させる機能を有するものではない。
【０００８】
特許文献１の「スポットクーラー」の発明は、外気を冷却する冷却源としてペルチェ素子を使用したスポットクーラーにおいて、ペルチェ素子の発熱面で発生する熱を蓄熱材に吸収してペルチェ素子の冷却作用を一定時間にわたって発揮可能とする構成が開示されているが、ペルチェ素子の冷却面と放熱面の内、冷却面のみを有効利用するものであり、放熱面を利用するものではない。
【０００９】
特許文献２の「貯蔵庫」の発明は、貯蔵庫の断熱箱体内に画成された貯蔵室を設け、ペルチェ素子の一方の放熱面により貯蔵室を加熱し、もう一方の冷却面により貯蔵室を冷却する構成が開示されており、冷媒利用の冷却器により得られた冷気をペルチェ素子の放熱面で加熱し、同時に冷却面で冷却することにより、設定温度の異なる貯蔵室を形成するものであって、外部に冷気を送出するものではない。
【００１０】
特許文献３の「乾燥装置」の発明は、保管庫内にヒータ及び送風ファンからなる温風手段と、ペルチェ素子による電子冷却ユニットを設け、ペルチェ素子の冷却面により水蒸気を結露させて除湿を行う装置であり、ペルチェ素子の放熱面により装置内を高温に維持して保温するものではない。
【００１１】
この発明は、上述のような従来技術が有する問題点に鑑みてなされたもので、その目的とするところは、屋内での溶接作業に適した溶接棒の防湿機能と冷気の供給機能を兼ね備えたスポットクーラー兼用溶接棒乾燥器を提供することにある。
【課題を解決するための手段】
【００１２】
請求項１の発明に係るペルチェ素子を利用したスポットクーラー兼用溶接棒乾燥器は、スポットクーラー部９と溶接棒乾燥部１０と、ペルチェ素子２の冷却面をスポットクーラー部９側内部に向けて接続する伝熱材３ａと、ペルチェ素子２の放熱面を溶接棒乾燥部１０側内部に向けて接続する伝熱材３ｂと、各部の上部に跨り、双方を接続するための接続治具１７と固定用のボルト１８とを備え、上記スポットクーラー部９は、周囲を囲む断熱材１６ａと、外気導入口５および送風ファン４と、外気を冷却する冷却フィン６と、冷風を送出する送風口７及び伸縮自在なホース８とを設けて形成し、上記溶接棒乾燥部１０は、周囲を囲む断熱材１６ｂと、乾燥器内の温度調節を行うための温度調整器１１と、溶接棒を入れるケース１２及び蓋１５とを設けて形成することを特徴とする。
【００１３】
請求項２の発明に係るペルチェ素子を利用したスポットクーラー兼用溶接棒乾燥器は、上記請求項１記載の接続治具１７を、当該内にペルチェ素子２の放熱面に送風する小型の送風ファン４ｂと、送風する外気を取り込む外気導入口５ｂとを備えた構造とし、溶接棒乾燥部１０内の温度調整器１１に当該送風ファン４ｂの送風力を調節する機構を設けたことを特徴とする。
【００１４】
請求項３の発明に係るペルチェ素子を利用したスポットクーラー兼用溶接棒乾燥器は、可搬式スポットクーラー９ａと可搬式溶接棒乾燥器１０ａが接続治具１７と固定用のボルト１８で接続されることによって形成され、可搬式スポットクーラー９ａの複数の伝熱材３ａと可搬式溶接棒乾燥器１０ａの複数の伝熱材３ｂの半数に取付けられたペルチェ素子２ｂの冷却面と、可搬式スポットクーラー９ａの伝熱材３ａの半数に取付けられたペルチェ素子２ａの放熱面と可搬式溶接棒乾燥器１０ａの複数の伝熱材３ｂとがそれぞれ密着して接続されており、可搬式スポットクーラー９ａと可搬式溶接棒乾燥器１０ａにペルチェ素子２ａ、２ｂを半数ずつ備えた状態で分離可能な構造を備えていることを特徴とする。
【発明の効果】
【００１５】
請求項１の発明に係るペルチェ素子を利用したスポットクーラー兼用溶接棒乾燥器は、スポットクーラー部９と溶接棒乾燥部１０と、ペルチェ素子２の冷却面をスポットクーラー部９側内部に向けて接続する伝熱材３ａと、ペルチェ素子２の放熱面を溶接棒乾燥部１０側内部に向けて接続する伝熱材３ｂと、各部の上部に跨り、双方を接続するための接続治具１７と固定用のボルト１８とを備え、上記スポットクーラー部９は、周囲を囲む断熱材１６ａと、外気導入口５および送風ファン４と、外気を冷却する冷却フィン６と、冷風を送出する送風口７及び伸縮自在なホース８とを設けて形成し、上記溶接棒乾燥部１０は、周囲を囲む断熱材１６ｂと、乾燥器内の温度調節を行うための温度調整器１１と、溶接棒を入れるケース１２及び蓋１５とを設けて形成するので、スポットクーラー部９は、電源を入れると、送風ファン４ａが作動し、外気導入口５ａからスポットクーラー部９に矢印で示す方向に外気が導入され、ペルチェ素子２の冷却面に接続された伝熱材３ａと一体になった冷却フィン６が配置されている領域を通過して冷風となり、送風口７から送出される。
送風口７は、伸縮自在のホース８を設置できる構造とし、作業場所までホース８を伸ばし、作業者が作業場所で冷風を浴びることが可能な構造とすることができる。
一方、溶接棒乾燥部１０は、伝熱材３ｂを介して、ペルチェ素子２の放熱面で生じた発熱で内部を加熱する。即ち、ペルチェ素子２の放熱面で生じた発熱と冷却面で生じた冷熱をそれぞれ利用して、冷気生成と溶接棒の乾燥、防湿の用途に同時に利用でき、ペルチェ素子２の冷熱、発熱をそれぞれ単独で利用する装置と比べて、熱を有効利用できるため、エネルギーの無駄が少なくなる。
【００１６】
請求項２の発明に係るペルチェ素子を利用したスポットクーラー兼用溶接棒乾燥器は、上記請求項１記載の接続治具１７を、当該内にペルチェ素子２の放熱面に送風する小型の送風ファン４ｂと、送風する外気を取り込む外気導入口５ｂとを備えた構造とし、溶接棒乾燥部１０内の温度調整器１１に当該送風ファン４ｂの送風力を調節する機構を設けているので、接続治具１７内の小型の送風ファン４ｂにより外気導入口５ｂから取り込んだ外気をペルチェ素子２の放熱面に常に供給でき、ペルチェ素子２の放熱面が放熱を維持し、冷却面の冷却が維持されることによって、スポットクーラー部９の冷気の供給機能を持続させることができる。また、溶接棒乾燥部１０内が目標温度に達した場合、温度調整器１１から送風ファン４ｂに送風力を増すように伝達され、ペルチェ素子２の放熱面の放熱が持続するが、同時に伝熱材３ａからの外気への放熱量も増えるため、溶接棒乾燥部１０内が目標温度より高くなりすぎず一定に保たれると共に、ペルチェ素子２の冷却面の冷却効果が維持され、スポットクーラー部９の冷気の供給機能を持続させることができる。
【００１７】
上記請求項１記載のペルチェ素子を利用したスポットクーラー兼用溶接棒乾燥器は、可搬式スポットクーラー９ａの複数の伝熱材３ａと可搬式溶接棒乾燥器１０ａの
複数の伝熱材３ｂの半数に取付けられたペルチェ素子２ｂの冷却面と、可搬式スポットクーラー９ａの伝熱材３ａの半数に取付けられたペルチェ素子２ａの放熱面と可搬式溶接棒乾燥器１０ａの複数の伝熱材３ｂとがそれぞれ密着して接続されており、
固定用のボルト１８を取り外して、可搬式スポットクーラー９ａと可搬式溶接棒乾燥器１０ａとにペルチェ素子２ａ、２ｂを半数ずつ備えた状態で分離できる構造を備えているので、可搬式スポットクーラー９ａと可搬式溶接棒乾燥器１０ａを接続した場合は、各装置でペルチェ素子２ａ、２ｂの冷熱面の冷熱、放熱面の発熱を共有できる。また、各装置に半数のペルチェ素子２ａまたは２ｂが備わっているので、各々単体での使用も可能である。
【図面の簡単な説明】
【００１８】
【図１】本発明に係るペルチェ素子を利用したスポットクーラー兼用溶接棒乾燥器の詳細図である。
【図２】ペルチェ素子を利用した可搬式スポットクーラーの説明図である。
【図３】図２の可搬式スポットクーラーを矢印Ａの右側方向から見た説明図である。
【図４】ペルチェ素子を利用した可搬式溶接棒乾燥器の説明図である。
【図５】図４の可搬式溶接棒乾燥器を矢印Ｂの左側方向から見た説明図である。
【発明を実施するための形態】
【００１９】
本発明に係るペルチェ素子を利用したスポットクーラー兼用溶接棒乾燥器、可搬式  スポットクーラー、可搬式溶接棒乾燥器の使用形態例について図１から図５に基づいて説明する。本発明は下記の実施形態にのみ限定されるものではない。
本発明の要旨を逸脱しない範囲で下記の実施形態に変更（例えば構成要素の省略または付加、構成要素の形状の変更等）を加えることが出来るのはもちろんである。なお、図は概略を示すもので、一部のみを描き詳細構造は省略した。
【００２０】
図１に示すように、ペルチェ素子２を利用したスポットクーラー兼用溶接棒乾燥器１は、ペルチェ素子２を境界としてスポットクーラー部９と溶接棒乾燥部１０に区別され、スポットクーラー部９に接続される伝熱材３ａには、ペルチェ素子２の冷却面を接続し、溶接棒乾燥部１０に接続される伝熱材３ｂには、ペルチェ素子２の放熱面を接続する。
このペルチェ素子２の冷却面の冷却効果により、スポットクーラー部９内に取り込んだ外気を冷却し、ペルチェ素子２の放熱面の発熱により溶接棒乾燥部１０内の溶接棒の防湿を行う。
【００２１】
スポットクーラー部９は、電源をＯＮにすると、送風ファン４ａが作動し、外気導入口５ａからスポットクーラー部９に矢印で示す方向に外気が導入され、ペルチェ素子２の冷却面に接続された伝熱材３ａと一体になった冷却フィン６が配置されている領域を通過して冷気となり、送風口７から送出される。
送風口７は、伸縮自在のホース８を設置できる構造とし、作業場所までホース８を伸ばし、作業者が高温の作業場所で冷風を浴びることが可能な構造とすることができる。
【００２２】
スポットクーラー部９と溶接棒乾燥部１０は、各部の上部に跨るように設置された２つの接続治具１７ａ, １７ｂと固定用のボルト１８を締め付けて接続する。この接続治具１７には、外気を取り込む外気導入口５ｂと小型の送風ファン４ｂを設ける。
スポットクーラー部９と溶接棒乾燥部１０の電源を入れると、伝熱材３ｂを介してペルチェ素子２の放熱面の発熱が伝わり、断熱材１６ｂで囲まれたケース１２内を温める。また、上記外気導入口５ｂと送風ファン４ｂとでペルチェ素子２の放熱面に外気を供給し、ペルチェ素子２の放熱面が放熱することを維持し、伝熱材３ｂを介して、断熱材１６ｂで囲まれた溶接棒乾燥部１０内を加熱する。
ペルチェ素子２の放熱面が放熱することを維持することで、反対側の冷却面の冷却効果が維持され、スポットクーラー部９内の冷却効果が持続するため、ペルチェ素子２の冷熱、発熱をそれぞれ単独で利用する装置と比べて、両方の熱を有効に利用することができ、エネルギーの無駄が少なくなる。
【００２３】
接続治具１７内の小型の送風ファン４ｂにより外気導入口５ｂから取り込んだ外気をペルチェ素子２の放熱面に常に供給できるので、ペルチェ素子２の放熱面が放熱を維持し、冷却面の冷却が維持されることによって、スポットクーラー部９の冷気の供給機能を持続させることができる。また、溶接棒乾燥部１０内が目標温度に達した場合、温度調整器１１から送風ファン４ｂに送風力を増すように伝達され、ペルチェ素子２の放熱面の放熱が持続するが、同時に伝熱材３ａからの外気への放熱量も増えるため、溶接棒乾燥部１０内が目標温度より高くなりすぎず一定に保たれると共に、ペルチェ素子２の冷却面の冷却効果が維持され、スポットクーラー部９の冷気の供給機能を持続させることができる。
【００２４】
このペルチェ素子２を利用したスポットクーラー兼用溶接棒乾燥器１は、１つの装置で冷風の供給と溶接棒の防湿を行うことが可能である。
タンクやプラント、橋梁等の大型の構造物の建設現場やその休憩所等にスポットクーラー兼用溶接棒乾燥器１を搬入して稼動させることにより、送風口７やホース８からの冷風を浴びながら、現場作業や休憩をすることが可能となる。
また、溶接棒の防湿を行う溶接棒乾燥部１０から、現場で直ぐに必要量だけ溶接棒が取り出せる。
【００２５】
また、スポットクーラー兼用溶接棒乾燥器１には、スポットクーラー部９にバッテリー１３ａを設け、溶接棒乾燥部１０にバッテリー１３ｂを設け、外部電源から電力を受けて各バッテリー１３ａ、１３ｂに蓄電し、各々単体での使用を可能とする。
このような分離構造とすることで、溶接等の作業場所に、可搬式スポットクーラー９ａまたは可搬式溶接棒乾燥器１０ａを持ち運んで、バッテリー１３ａ、１３ｂに蓄電された電力を使用して、外部電源無で各装置を個別の作業場所で所定時間使用することが可能である。
【００２６】
図２は、ペルチェ素子を利用した可搬式スポットクーラーの説明図で、この可搬式スポットクーラー９ａは、構造物の建設工事等に関わる作業者が現場で顔や首、頭といった局所的に冷風を供給したい部位があるとき等に、把持部１４ａを持ったりベルトを通して肩や背に掛けたり、車輪２０を使用して作業場所に持ち運んで使用するものである。
この可搬式スポットクーラー９ａは、外気導入口５ａから送風ファン４ａにより外気が取り込まれ、ペルチェ素子２の冷却面に接続された伝熱材３ａと一体化された冷却フィン６が配置されている領域を通過して冷風となり、送風口７から送出される。
また、可搬式スポットクーラー９ａの送風口７に伸縮自在のホース８を接続することにより、作業者の顔や首、頭等の冷風を供給したい部位に効果的に冷気を届かせることが可能となる。
また、この可搬式スポットクーラー９ａは、固定用のボルト１８により接続されたスポットクーラー側の接続治具１７ａと接続された状態で可搬式溶接棒乾燥器１０ａから分離され、この接続治具１７ａに設置された外気導入口５ｂで外気を取り込み、小型の送風ファン４ｂでペルチェ素子２ａの放熱面に送風することにより、放熱面の放熱が持続することで、可搬式スポットクーラー９ａ内に接続されたペルチェ素子２ａの冷却面の冷却効果が持続するため、可搬式スポットクーラー９ａ単体でも冷風の供給を常に行うことができる。
【００２７】
図３は、図２の可搬式スポットクーラーを矢印Ａの右側方向から見た説明図である。
可搬式スポットクーラー９ａの背面の断熱材１６ａに、複数の伝熱材３ａが取付けられ、その半数に可搬式スポットクーラー９ａ分のペルチェ素子２ａが取付けられている。
上部に固定された接続治具１７ａの外気導入口５ｂから外気を取り込み、小型の送風ファン４ｂでペルチェ素子２ａの放熱面に矢印の方向へ送風することにより、ペルチェ素子２ａの放熱面が発熱し、冷却面の冷却効果が持続して、常に冷風を供給することが可能となる。また、ペルチェ素子２ａが取付けられていない伝熱材３ａに送風されるので、可搬式スポットクーラー９ａ内の冷気が伝熱材３ｂから大気中へ放出することが抑えられる。
【００２８】
図４は、ペルチェ素子を利用した可搬式溶接棒乾燥器の説明図で、この可搬式溶接棒乾燥器１０ａは、ケース１２の中に溶接棒１９を保管し蓋１５をして、構造物の建設工事等に関わる作業者が把持部１４ｂを持ったり、車輪２０で転がして、現場に持ち運んで使用するものである。
また、現場の直近で可搬式溶接棒乾燥器１０ａから、防湿した溶接棒を取り出して使用することができる。
なお、この可搬式溶接棒乾燥器１０ａは、断熱材１６ｂに囲まれた構造で、可搬式溶接棒乾燥器１０ａの背面の断熱材１６ｂに伝熱材３ｂが取付けられ、その伝熱材３ｂにペルチェ素子２ｂの放熱面が接続されており、電源をＯＮにすると、ペルチェ素子２ｂの放熱面が放熱し、伝熱材３ｂを介して、ケース１２内を加熱することができる。
【００２９】
可搬式溶接棒乾燥器１０ａの蓋１５は、半開タイプであり、接続治具１７を固定用のボルト１８で締め付けた状態でも開くことができる。
また、蓋１５を半開タイプにすることにより、全開タイプと比べて、蓋を開いた状態での保温や防湿効果を高めることができ、溶接棒１５を落とす可能性が少なくなる。
【００３０】
図５は、図４の可搬式溶接棒乾燥器１０ａを矢印Ｂの左側方向から見た説明図である。
可搬式溶接棒乾燥器１０ａの背面の断熱材１６ｂに、複数の伝熱材３ｂが取付けられ、半数に可搬式溶接棒乾燥器１０ａ分のペルチェ素子２ｂが取付けられている。
上部に固定された可搬式溶接棒乾燥器１０ａ側の接続治具１７ｂの外気導入口５ｂから外気を取り込み、小型の送風ファン４ｂでペルチェ素子２ｂの冷却面と伝熱材３ｂに矢印の方向へ温風を通風することで、ペルチェ素子２ｂの冷却面の冷却効果が持続し、放熱面の放熱が持続するため、断熱材１６ｂで囲まれたケース１２内を常に保温することが可能となる。
また、ペルチェ素子２ｂが取付けられていない伝熱材３ｂに温風が当たるので、可搬式溶接棒乾燥器１０ａ内の熱が伝熱材３ｂから大気中へ放出することが抑えられる。
【００３１】
可搬式スポットクーラー９ａと可搬式溶接棒乾燥器１０ａを接続治具１７で接続したときに、図３と図５に示す通り、ペルチェ素子２ａに伝熱材３ｂ、伝熱材３ａにペルチェ素子２ｂが密着するような位置に各装置のペルチェ素子２と伝熱材３が配置されている。
また、可搬式スポットクーラー９ａと可搬式溶接棒乾燥器１０ａを接続したときに、ペルチェ素子２と伝熱材３が密着するように、接続治具１７の長さが調整されている。
更に、可搬式溶接棒乾燥器１０ａと可搬式スポットクーラー９ａの各装置に半数ずつペルチェ素子２ａ,２ｂを設けることで、各装置単体でも機能を果たすことができ、接続後は、ペルチェ素子２をスポットクーラー部９と溶接棒乾燥部１０で共有できるので、溶接棒の防湿と冷風供給機能を同時に果たすことが可能となる。
【産業上の利用可能性】
【００３２】
上記ペルチェ素子を利用したスポットクーラー兼溶接棒乾燥器は、構造物の建設工事現場のみでなく、補修や改造工事、屋内外の設備工事、事務所等の建築工事などにも使用することができる。
【符号の説明】
【００３３】
１  スポットクーラー兼用溶接棒乾燥器    
２  ペルチェ素子    
２ａ  スポットクーラー部９のペルチェ素子    
２ｂ  溶接棒乾燥部１０のペルチェ素子    
３  伝熱材
３ａ  スポットクーラー部９の伝熱材    
３ｂ  溶接棒乾燥部１０の伝熱材    
４  送風ファン    
４ａ  スポットクーラー部９の送風ファン    
４ｂ  接続治具１７内の送風ファン    
５  外気導入口    
５ａ  スポットクーラー部９の外気導入口
５ｂ  接続治具１７内の外気導入口
６  冷却フィン    
７  送風口    
８  ホース    
９  スポットクーラー部    
９ａ  可搬式スポットクーラー    
１０  溶接棒乾燥部    
１０ａ  可搬式溶接棒乾燥器    
１１  温度調整器    
１２  ケース    
１３  バッテリー    
１３ａ  可搬式スポットクーラー９ａのバッテリー    
１３ｂ  可搬式溶接棒乾燥器１０ａのバッテリー    
１４  把持部    
１４ａ  可搬式スポットクーラー９ａの把持部    
１４ｂ  可搬式溶接棒乾燥器１０ａの把持部    
１５  蓋    
１６  断熱材
１６ａ  スポットクーラー部９の断熱材    
１６ｂ  溶接棒乾燥部１０の断熱材    
１７  接続治具    
１７ａ  スポットクーラー９ａの接続治具    
１７ｂ  溶接棒乾燥器９ｂの接続治具    
１８  固定用のボルト    
１９  溶接棒    
２０  車輪    
【図１】
2015010788.tif 000003
【図２】
2015010788.tif 000004
【図３】
2015010788.tif 000005
【図４】
2015010788.tif 000006
【図５】
2015010788.tif 000007